(57)【要約】  （ａ）ブーツアセンブリと共に動作可能なビンディングであって、ビンディングが支持面およびそこから延出するトーピースおよびヒールピースを備えるビンディングと、（ｂ）滑走ボードのデッキに回転可能にかつ取外し可能に固定され、滑走ボードの使用中にビンディングを解放可能に連結するように構成されたベースアセンブリとを備える、滑走ボードに使用するために構成された多機能のビンディングシステムであって、ベースアセンブリが、（ｉ）滑走ボードのデッキに取外し可能に連結され、ベースアセンブリを滑走ボードに固定するように構成された支持ディスクと、（ｉｉ）支持ディスクの周りを回転可能であり、デッキに隣接して配置されるように構成されたデッキプレートと、（ｉｉｉ）同様に支持ディスクの周りを回転可能であり、ビンディングを受け、係合するように構成されたボンネットであって、ベースアセンブリの１つまたは複数の構成要素を支持するようにデッキプレートと共に動作可能であるボンネットと、（ｉｖ）支持ディスクの周り、および滑走ボードに対してのボンネットおよびデッキプレートの回転の調整を容易にし、それによって滑走ボードに対するブーツアセンブリの複数のスタンス向きを容易にする調整手段であって、複数の調整位置のうちの任意の１つで、支持ディスクに選択的に係合するように構成された調整手段と、（ｖ）ビンディングをベースアセンブリに、したがってブーツシステムを滑走ボードに解放可能に連結するように構成され、それによって使用者をそこに固定する連結手段と、（ｖｉ）ビンディングをベースアセンブリから、したがって滑走ボードからブーツシステムを解放するための連結手段を作動させる解放手段とを備える。
2008502435.tif 000002
【特許請求の範囲】
【請求項１】
ブーツアセンブリと共に動作可能なビンディングであって、支持面およびそこから延出するトーピースおよびヒールピースを備える前記ビンディングと、
滑走ボードのデッキに回転可能にかつ取外し可能に固定され、前記滑走ボードの使用中に前記ビンディングを解放可能に連結するように構成されたベースアセンブリとを備える、滑走ボードに使用するために構成されたビンディングシステムであって、前記ベースアセンブリが、
前記滑走ボードの前記デッキに取外し可能に連結され、前記ベースアセンブリを前記滑走ボードに固定するように構成された支持ディスクと、
前記支持ディスクの周りを回転可能であり、前記デッキに隣接して配置されるように構成されたデッキプレートと、
同様に前記支持ディスクの周りを回転可能であり、前記ビンディングを受け、係合するように構成されたボンネットであって、前記ベースアセンブリの１つまたは複数の構成要素を支持するように前記デッキプレートと共に動作可能である前記ボンネットと、
前記支持ディスクの周りおよび前記滑走ボードに対する前記ボンネットおよび前記デッキプレートの回転の調整を容易にするように構成され、それによって前記滑走ボードに対する前記ブーツアセンブリの複数のスタンス向きを容易にする調整機構であって、複数の調整位置のうちの任意の１つで前記支持ディスクを選択的に係合するように構成された前記調整機構と、
前記ビンディングを前記ベースアセンブリに、したがって前記ブーツシステムを前記滑走ボードに解放可能に連結するように構成され、それによって使用者をそこに固定する連結手段と、
前記ビンディングを前記ベースアセンブリから、したがって前記ブーツシステムを前記滑走ボードから解放するために前記連結手段を作動させるように構成された解放機構とを備えるビンディングシステム。
【請求項２】
前記連結手段が、
前記ボンネットのフロント部の周りに支持され、前記解放機構と共に動作可能であるトープランジャであって、前記ビンディングの前記トーピースに形成されたレシーバに解放可能に係合するように構成された前記トープランジャと、
前記ボンネットのリア部の周りに支持され、前記解放機構と共に動作可能であるヒールプランジャであって、前記ビンディングの前記ヒールピースに形成されたレシーバに解放可能に係合するように構成された前記ヒールプランジャとを備える、請求項１に記載のビンディングシステム。
【請求項３】
前記解放機構が、前記ビンディングを前記ベースアセンブリから解放するために、前記トープランジャおよびヒールプランジャを同時に作動させるように機能する、請求項２に記載のビンディングシステム。
【請求項４】
前記トープランジャおよびヒールプランジャが付勢され、可変の予め設定された張力設定を有する、請求項２に記載のビンディングシステム。
【請求項５】
前記トープランジャが、その中に形成され、その上に前記ビンディングによって加えられた力を受け、無数の解放角度のうちの少なくとも１つで前記ベースアセンブリから前記ビンディングの最適で選択的な予め設定された張力解放を容易にするように構成された少なくとも１つの圧力面を備える、請求項２に記載のビンディングシステム。
【請求項６】
前記圧力面が圧力角で形成される、請求項５に記載のビンディングシステム。
【請求項７】
前記圧力角が３５°と４０°の間になるように構成される、請求項６に記載のビンディングシステム。
【請求項８】
前記ヒールプランジャが、その中に形成され、その上に前記ビンディングによって加えられた力を受け、無数の解放角度のうちの少なくとも１つで前記ベースアセンブリから前記ビンディングの最適で予め設定された張力解放を容易にするように構成された少なくとも１つの圧力面を備える、請求項２に記載のビンディングシステム。
【請求項９】
前記圧力面が圧力角で形成される、請求項８に記載のビンディングシステム。
【請求項１０】
前記圧力角が３５°と４０°の間になるように構成される、請求項９に記載のビンディングシステム。
【請求項１１】
前記支持ディスクが、標準の３つ穴の連結配列、および標準の４つ穴の連結配列からなる群から選択される孔の連結配列を有する、請求項１に記載のビンディングシステム。
【請求項１２】
前記ベースアセンブリ、およびしたがって前記ビンディングシステムが、互換性があり、異なるタイプの滑走ボードに使用するために構成される、請求項１に記載のビンディングシステム。
【請求項１３】
前記ボンネットが、前記使用者に対して、てこの力および高さを増加させ、同時にヒールおよびトーのドラグの可能性を低下させるように機能する前記ビンディングを支持するために、高くされた装着面をもたらす、請求項１に記載のビンディングシステム。
【請求項１４】
前記ビンディングが閾値の予め設定された張力解放を超える力およびそれによって生じる圧力を前記連結手段に作用させるときに、前記ビンディングが前記ベースアセンブリから解放するように機能する、請求項１に記載のビンディングシステム。
【請求項１５】
前記ビンディングと共に動作可能なフットプレートをさらに備え、使用者の足に支持をもたらすように構成された、請求項１に記載のビンディングシステム。
【請求項１６】
ブーツアセンブリと共に動作可能なビンディングであって、前記ビンディングが支持面およびそこから延出するトーピースおよびヒールピースを備え、前記トーピースおよびヒールピースのそれぞれがその中に形成されたレシーバを有するビンディングと、
滑走ボードのデッキに回転可能にかつ取外し可能に固定され、前記滑走ボードの使用中に前記ビンディングを解放可能に連結し、支持するように構成されたベースアセンブリとを備える、滑走ボードに使用するためのビンディングシステムであって、前記ベースアセンブリが、
前記滑走ボードの前記デッキに取外し可能に連結され、前記ベースアセンブリを前記滑走ボードに固定するように構成された支持ディスクと、
前記支持ディスクの周りを回転可能であり、前記デッキに隣接して配置されるように構成されたデッキプレートと、
同様に前記支持ディスクの周りを回転可能であり、前記ビンディングを受け、係合するように構成されたボンネットであって、前記ベースアセンブリの１つまたは複数の構成要素を支持するように前記デッキプレートと共に動作可能である前記ボンネットと、
前記支持ディスクの周りの前記ボンネットおよび前記デッキプレートの回転の調整を容易にするように構成され、それによって前記滑走ボードに対する前記ブーツアセンブリの複数のスタンス向きを容易にする調整機構であって、複数の調整位置のうちの任意の１つで前記支持ディスクを選択的に係合するように構成された前記調整機構と、
前記ビンディングを前記ベースアセンブリから、したがって前記ブーツシステムを前記滑走ボードから選択的に手動で解放することを容易にするように構成された解放機構と、
前記ボンネットのフロント部の周りに支持され、前記解放機構と共に動作可能であるトープランジャであって、前記ビンディングを前記ベースアセンブリに固定するために、前記ビンディングの前記トーピースに形成された前記レシーバに解放可能に係合するように構成された前記トープランジャと、
前記ボンネットのリア部の周りに支持され、前記解放機構と共に動作可能であるヒールプランジャであって、前記ビンディングの前記ヒールピースに形成された前記レシーバに解放可能に係合するように構成された前記ヒールプランジャとを備えるビンディングシステム。
【請求項１７】
前記トープランジャおよびヒールプランジャがそれぞれ、その中に形成された複数の圧力面を備え、その上に前記ビンディングによって加えられた力を受け、無数の解放角度のうちの少なくとも１つで前記ベースアセンブリから前記ビンディングの最適で選択的な予め設定された張力解放を容易にするように構成された、請求項１６に記載のビンディングシステム。
【請求項１８】
前記圧力面がそれぞれの圧力角によって形成される、請求項１７に記載のビンディングシステム。
【請求項１９】
前記圧力角が３５°と４０°の間になるように構成される、請求項１８に記載のビンディングシステム。
【請求項２０】
ブーツアセンブリと共に動作可能なビンディングであって、前記ビンディングが支持面およびそこから延出するトーピースおよびヒールピースを備え、前記トーピースおよびヒールピースのそれぞれがその中に形成されたレシーバを有するビンディングと、
滑走ボードのデッキに回転可能にかつ取外し可能に固定され、前記滑走ボードの使用中に前記ビンディングを解放可能に連結し、支持するように構成されたベースアセンブリとを備える、滑走ボードに使用するためのビンディングシステムであって、前記ベースアセンブリが、
前記滑走ボードの前記デッキに取外し可能に連結され、前記ベースアセンブリを前記滑走ボードに固定するように構成された支持ディスクと、
前記支持ディスクの周りを回転可能であり、前記デッキに隣接して配置されるように構成されたデッキプレートと、
同様に前記支持ディスクの周りを回転可能であり、前記ビンディングを受け、係合するように構成されたボンネットであって、前記ベースアセンブリの１つまたは複数の構成要素を支持するように前記デッキプレートと共に動作可能である前記ボンネットと、
前記支持ディスクの周りの前記ボンネットおよび前記デッキプレートの回転の調整を容易にするように構成され、それによって前記滑走ボードに対する前記ブーツアセンブリの複数のスタンス向きを容易にする調整機構であって、複数の調整位置のうちの任意の１つで前記支持ディスクを選択的に係合するように構成された前記調整機構と、
前記ビンディングを前記ベースアセンブリから、したがって前記ブーツシステムを前記滑走ボードから選択的に手動で解放することを容易にするように構成された解放機構と、
前記ボンネットのフロント部の周りに支持され、前記解放機構と共に動作可能であるトープランジャであって、前記ビンディングを前記ベースアセンブリに固定するために、前記ビンディングの前記トーピースに形成された前記レシーバに解放可能に係合するように構成され、前記トープランジャ内に形成された複数の圧力面を備え、その上に前記ビンディングによって加えられた力を受け、無数の解放角度のうちの少なくとも１つで、前記ビンディングの前記ベースアセンブリからの、したがって前記ブーツアセンブリの前記滑走ボードからの最適で選択的な予め設定された張力解放を容易にするように構成された前記トープランジャと、
前記ボンネットのリア部の周りに支持され、前記解放機構と共に動作可能であるヒールプランジャであって、前記ビンディングの前記ヒールピースに形成された前記レシーバに解放可能に係合するように構成され、前記ヒールプランジャ内に形成された複数の圧力面を備え、その上に前記ビンディングによって加えられた力を受け、無数の解放角度のうちの少なくとも１つで、前記ビンディングの前記ベースアセンブリからの、したがって前記ブーツアセンブリの前記滑走ボードからの最適で選択的な予め設定された張力解放を容易にするように構成され、前記トープランジャおよびヒールプランジャが前記ビンディングを前記ベースアセンブリに固定するように構成され、したがって前記ブーツアセンブリを前記滑走ボードに固定するように構成された前記ヒールプランジャとを備えるビンディングシステム。
【請求項２１】
前記圧力面がそれぞれの圧力角によって形成される、請求項２０に記載のビンディングシステム。
【請求項２２】
前記圧力角が３５°と４０°の間になるように構成される、請求項２１に記載のビンディングシステム。
【請求項２３】
フットウェアのタイプの品目を第２の品目に脱着可能に固定するためのユニバーサルビンディング装置であって、
前記装置が、前記フットウェアタイプおよび第２の品目のいずれにも装着できる第１のプレートを備え、前記第１のプレートが、
前記第１のプレートのフロント部に配置されたトー保持ラッチであって、無数の解放角度で、最適で選択的な予め設定された張力解放を可能にするために、その中に形成された複数の圧力面を備える前記トー保持ラッチと、
前記第１のプレートのリア部に配置されたヒール保持ラッチであって、無数の解放角度で、最適で選択的な予め設定された張力解放を可能にするために、その中に形成された複数の圧力面を備える前記ヒール保持ラッチと、
前記トー保持ラッチまたは前記ヒール保持ラッチのうちの少なくとも１つを係脱させるために、前記トー保持ラッチと前記ヒール保持ラッチの間に配置された第１のレリースと、
前記第１のプレートに固定されない前記品目に装着できる第２のプレートとを備え、前記第２のプレートが、
前記第２のプレートのフロント部に配置されたトークリップと、
前記第２のプレートのリア部に配置されたヒールクリップとを備え、前記トークリップが前記トー保持ラッチ内に係合され、前記ヒールクリップが前記ヒール保持ラッチ内に係合されて、前記第２のプレートが、前記第１のプレートに脱着可能に固定され、前記第１のレリースが、前記第２のプレートから前記トー保持ラッチまたは前記ヒール保持ラッチのうちの少なくとも１つに移動可能に係脱するように動作するユニバーサルビンディング装置。
【請求項２４】
前記トー保持ラッチが、長手方向の圧力角および２つの反対側の側方圧力角を有する、請求項２３に記載のユニバーサルビンディング装置。
【請求項２５】
前記圧力角が３５°と４０°の間になるように形成される、請求項２３に記載のユニバーサルビンディングシステム。
【請求項２６】
前記トークリップおよびヒールクリップが、それぞれ前記トーラッチおよびヒールラッチの前記圧力角に一致する、その中に形成された角度を有する、請求項２３に記載のユニバーサルビンディング装置。
【請求項２７】
前記トークリップおよびヒールクリップのうちの少なくとも１つが、閾値の予め設定された張力解放を超える力およびそれによって生じる圧力を前記それぞれのトーラッチおよびヒールラッチの前記圧力角に作用させるときに、前記第１のプレートが前記第２のプレートから解放するように機能する、請求項２３に記載のユニバーサルビンディング装置。
【発明の詳細な説明】
【技術分野】
【０００１】
（関連出願）
本出願は、２００４年６月１５日に提出の本明細書にその全体が参照によって組み込まれる、「ＥＺ  ｍｕｌｔｉ−ｆｕｎｃｔｉｏｎ  ｒｅｌｅａｓｅ  ｂｉｎｄｉｎｇ  ｆｏｒ  ｂｏａｒｄｓ  ａｎｄ  ｓｋｉｓ」という名称の米国仮特許出願６０／５７９５２６に対して優先権を主張する部分継続出願である。この部分継続出願はさらに、「Ｕｎｉｖｅｒｓａｌ  Ｓｋｉ  ａｎｄ  Ｓｎｏｗｂｏａｒｄ  Ｂｉｎｄｉｎｇ」という名称の２００３年８月１４日に提出の米国特許出願１０／４６７９４１に優先権を主張し、その出願は、２００２年２月１５日に提出の「Ｕｎｉｖｅｒｓａｌ  Ｓｋｉ  ａｎｄ  Ｓｎｏｗｂｏａｒｄ  Ｂｉｎｄｉｎｇ」という名称のＰＣＴ出願ＰＣＴ／ＵＳ０２／０５１７４に優先権を主張し、その出願は、２００１年２月１５日出願の「Ｚ  Ｒｅｌｅａｓｅ  Ｓｙｓｔｅｍ」という名称の米国仮特許出願６０／２６８５４２、２００１年２月１５日に提出の「Ｂｒｅａｋａｗａｙ  Ｉｎｔｅｒｆａｃｅ」という名称の米国仮特許出願６０／２６８５４１、および２００２年１月１５日提出の「Ｚ  Ｃｏｍｂｏ  Ｒｅｌｅａｓｅ＆Ｃｏｎｖｅｒｓｉｏｎ  Ｓｙｓｔｅｍ」という名称の米国仮特許出願６０／３４８２７４に優先権を主張し、そのそれぞれは、本明細書にその全体が参照によって組み込まれる。
【０００２】
本発明は、使用者または滑走者（ｒｉｄｅｒ）の片足または両足を滑走ボード（ｓｌｉｄｉｎｇ  ｂｏａｒｄ）に固定するように構成され、使用者がスキー、スノーボード、ウェイクボードなどの滑走スポーツ（ｓｌｉｄｉｎｇ  ｓｐｏｒｔ）に参加できるように構成されたビンディングに関する。より詳細には、本発明は、互換性がある調整可能な張力解放ビンディングに関連し、そのビンディングまたはビンディングの設計が水上またはスノースキー、スノーボード、水上スキー、ウェイクボード、および同様のものなどの、複数の異なるタイプの滑走ボードに使用するのに適合できる。
【背景技術】
【０００３】
スノーボード、スキー、ウェイクボード、および同様の滑走スポーツは、多くの人々が参加する競技スポーツおよびレクリエーション活動としての人気を高めつつある。滑走ボードは、これらのスノーボード、スキー、ウェイクボード、およびその他の滑走ボードなどのスポーツまたは活動に使用され、その機能や性能を向上させる新しい技術によって絶えず進化している。
【０００４】
近年、スノーボードは人気が高まり、スキーとほぼ同じぐらい普及している。残念なことに、スノーボード用具は安全面で、スキーに関して開発されたもの、特にスノーボードを滑走者の両足に固定するために設けられたビンディングシステムに関して遅れをとっている。現在最も広範に使用されているスノーボードビンディングの形式は、スノーボードに取り付けられた２個のビンディングを備え、各ビンディングが、滑走者のそれぞれのブーツの周囲に取り付けられるようになされた複数のストラップを有する。使用に際しては、滑走者は自分のブートクラッドフィート（ｂｏｏｔ  ｃｌａｄ  ｆｅｅｔ）をビンディングに置き、ストラップをブーツの周囲に締め付けてボードを滑走者の脚に固定する。ボードを取り外すには、滑走者は、スノーボードビンディングを滑走者のブーツから解放するために各ストラップを手動で個別に外す必要がある。プレートビンディングおよびステップインビンディングを含むその他のタイプのファスナおよびビンディングも利用可能である。
【０００５】
スノーボードによる死亡事故の大半は、深い雪の中での窒息に起因するものであることが知られている。スノーボードが解放されず、滑走者の足に装着されたままでは、スノースライド（ｓｎｏｗ  ｓｌｉｄｅ）または雪崩（ａｖａｌａｎｃｈｅ）の場合にスノーボードの長さがアンカー（ａｎｃｈｏｒ）として作用するおそれがあり、雪に埋もれると、滑走者は、ボードを取り外すためにビンディングストラップに手が届き得ない可能性がある。したがって、スノーボードが、激しい転倒または雪崩の場合に生じる可能性のあるような異常な力を受けた場合に、スノーボードビンディングが滑走者の脚をボードへの装着から解放できるようにすることが望ましい可能性がある。
【０００６】
スノーボードビンディングに関連する別の問題は、滑走者が山の斜面の頂上に戻るためにスキーリフトまたはスキートウを使用したいと思う場合に生じる。リフトラインにうまく入り、リフトの椅子に乗るために、滑走者は一般に、片方の足をボードから自由にして、所定位置に容易に移動できるようにする。リフトの椅子から降りた後に、自由になったブーツは、スノーボードの解除されたビンディング内に再び取り付けられる必要がある。従来のビンディングを外し、再び取り付けるこの一定の周期は、体力を消耗すると共に時間もかかり、したがって、改善されたスノーボードビンディングが、所望のときにボードから少なくとも１つのブーツをより容易に固定し、解放できるようにすることが望ましい。
【０００７】
スキーブーツとスキービンディングの間に異常な力が存在すると、スキーヤーが負傷する可能性のあるスキーヤーの脚にその力が伝わらないように、スキービンディングは従来から、スキーをスキーブーツから解放するように設計されている。しかし、適切で安全な解放、または張力の解放をもたらすために、複雑な機構がスキービンディング内で使用されている。これらの複雑な機構は一般に、わずかに限られた数値の解放角度だけをもたらし、したがって、衝撃またはその他の力が妥当な解放を誘発しない可能性を高くする。その欠陥にもかかわらず、激しい転倒の際に、特にスノーボーダーの胴体または脚がボードに対して捻じられる場合に、負傷する可能性が低下するように、スノーボードビンディングが同様の張力解放機構を有することが有利である。
【０００８】
従前の関連するビンディングに関する別の問題は、滑走ボードのタイプの間に互換性が全くなく、したがって１つまたは複数の滑走スポーツに参加する費用が増加する。実際に、スキーと同時にスノーボード、ウェイクボード等を行いたいと思う人が多い。たとえば、午前中にはアルペンスキーを使用してスキーをして、その後、午後にスノーボードで滑りたいと思う人がいるかもしれない。そのようにするために、人々は、アルペンスキーまたはスノーボードを使用するために、着用するブーツのタイプを変更する必要がある。したがって、スノーボードに対するのと同様に、アルペンスキーに対して有効で適用可能な汎用のビンディングを提供することが非常に有益である。さらに、この汎用ビンディングは、それには限定されないが水上スキー、ウェイクボード、およびその他を含むその他の滑走ボードにも適用可能である。
【発明の開示】
【課題を解決するための手段】
【０００９】
従前の関連するビンディングに固有の問題および欠陥に照らして、本発明は、いくつかの機能面を有するビンディングシステムを提供することによってこれらを克服しようとする。実際に、スノーボードおよびスキーなどの滑走ボードの滑走者は、自身の足を滑走ボードに固定し、そうでなければ解放可能に装着するように構成されたなんらかのビンディング手段を必要とする。さらに、可変および使用者が調整可能な張力レリース、無数の解放角度、可変および使用者が調整可能なスタンス向き（ｓｔａｎｃｅ  ｏｒｉｅｎｔａｔｉｏｎ）、および多くの異なるタイプの滑走ボードに単一のビンディングまたは単一のビンディング設計を使用する能力などのその他の特徴を有することが望ましい。これらのもののそれぞれが、本発明のビンディングシステムに提供される。
【００１０】
より詳細には、本明細書に具体化され、広く説明されるような発明に従って、本発明は滑走ボードに使用するように構成されたビンディングシステムを特徴とし、そのビンディングシステムは、（ａ）ブーツアセンブリと共に動作可能なビンディングであって、ビンディングが支持面およびそこから延出するトーピースおよびヒールピースを備えるビンディングと、（ｂ）滑走ボードのデッキに回転可能にかつ取外し可能に固定され、滑走ボードの使用中にビンディングを解放可能に連結するように構成されたベースアセンブリとを備え、ベースアセンブリが、（ｉ）滑走ボードのデッキに取外し可能に連結され、ベースアセンブリを滑走ボードに固定するように構成された支持ディスクと、（ｉｉ）支持ディスクの周りを回転可能であり、デッキに隣接して配置されるように構成されたデッキプレートと、（ｉｉｉ）同様に支持ディスクの周りを回転可能であり、ビンディングを受け、係合するように構成されたボンネットであって、ベースアセンブリの１つまたは複数の構成要素を支持するようにデッキプレートと共に動作可能であるボンネットと、（ｉｖ）支持ディスクの周り、および滑走ボートに対してのボンネットおよびデッキプレートの回転の調整を容易にし、それによって滑走ボードに対するブーツアセンブリの複数のスタンス向きを容易にする調整手段であって、複数の調整位置のうちの任意の１つで、支持ディスクに選択的に係合するように構成された調整手段と、（ｖ）ビンディングをベースアセンブリにしたがってブーツシステムを滑走ボードに解放可能に連結するように構成され、それによって使用者をそこに固定する連結手段と、（ｖｉ）ビンディングをベースアセンブリから、したがってブーツシステムを滑走ボードから解放するための連結手段を作動させる解放手段とを備える。
【００１１】
本発明は滑走ボードで使用するためのビンディングシステムも特徴とし、そのビンディングシステムは、（ａ）ブーツアセンブリと共に動作可能なビンディングであって、ビンディングが支持面およびそこから延出するトーピースおよびヒールピースを備え、トーピースおよびヒールピースのそれぞれがその中に形成されたレシーバを有するビンディングと、（ｂ）滑走ボートのデッキに回転可能にかつ取外し可能に固定され、滑走ボードの使用中にビンディングを解放可能に連結し、支持するように構成されたベースアセンブリとを備え、ベースアセンブリが、（ｉ）滑走ボードのデッキに取外し可能に連結され、ベースアセンブリを滑走ボードに固定するように構成された支持ディスクと、（ｉｉ）支持ディスクの周りを回転可能であり、デッキに隣接して配置されるように構成されたデッキプレートと、（ｉｉｉ）同様に支持ディスクの周りを回転可能であり、ビンディングを受け、係合するように構成されたボンネットであって、ベースアセンブリの１つまたは複数の構成要素を支持するようにデッキプレートと共に動作可能であるボンネットと、（ｉｖ）支持ディスクの周りのボンネットおよびデッキプレートの回転の調整を容易にし、それによって滑走ボードに対するブーツアセンブリの複数のスタンス向きを容易にする調整手段であって、複数の調整位置のうちの任意の１つで、支持ディスクに選択的に係合するように構成された調整手段と、（ｖ）ビンディングをベースアセンブリから、したがってブーツアセンブリを滑走ボードから選択的に手動で解放することを容易にする解放手段と、（ｖｉ）ボンネットのフロント部の周りに支持され、解放手段と共に動作可能であるトープランジャであって、ビンディングをベースアセンブリに固定するために、ビンディングのトーピースに形成されたレシーバに解放可能に係合するように構成されたトープランジャと、（ｖｉｉ）ボンネットのリア部の周りに支持され、解放機構と共に動作可能であるヒールプランジャであって、ビンディングのヒールピースに形成されたレシーバに解放可能に係合するように構成されたヒールプランジャとを備える。
【００１２】
本発明は滑走ボードで使用するためのビンディングシステムもさらに特徴とし、そのビンディングシステムは、（ａ）ブーツアセンブリと共に動作可能なビンディングであって、ビンディングが支持面およびそこから延出するトーピースおよびヒールピースを備え、トーピースおよびヒールピースのそれぞれがその中に形成されたレシーバを有するビンディングと、（ｂ）滑走ボートのデッキに回転可能にかつ取外し可能に固定され、滑走ボードの使用中にビンディングを解放可能に連結し、支持するように構成されたベースアセンブリとを備え、ベースアセンブリが、（ｉ）滑走ボードのデッキに取外し可能に連結され、ベースアセンブリを滑走ボードに固定するように構成された支持ディスクと、（ｉｉ）支持ディスクの周りを回転可能であり、デッキに隣接して配置されるように構成されたデッキプレートと、（ｉｉｉ）同様に支持ディスクの周りを回転可能であり、ビンディングを受け、係合するように構成されたボンネットであって、ベースアセンブリの１つまたは複数の構成要素を支持するようにデッキプレートと共に動作可能であるボンネットと、（ｖｉ）支持ディスクの周りのボンネットおよびデッキプレートの回転の調整を容易にし、それによって滑走ボードに対するブーツアセンブリの複数のスタンス向きを容易にする調整手段であって、複数の調整位置のうちの任意の１つで、支持ディスクに選択的に係合するように構成された調整手段と、（ｖ）ビンディングをベースアセンブリから、したがってブーツアセンブリを滑走ボードから選択的に手動で解放することを容易にする解放手段と、（ｖｉ）ボンネットのフロント部の周りに支持され、解放手段と共に動作可能であるトープランジャであって、ビンディングをベースアセンブリに固定するために、ビンディングのトーピースに形成されたレシーバに解放可能に係合するように構成され、その中に形成され、その上にビンディングによって加えられた力を受け、無数の解放角度のうちの少なくとも１つで、ビンディングのベースアセンブリからの、したがって、ブーツアセンブリの滑走ボードからの最適で選択的な予め設定された張力解放を容易にするように構成された複数の圧力面を備えるトープランジャと、（ｖｉｉ）ボンネットのリア部の周りに支持され、解放機構と共に動作可能であるヒールプランジャであって、ビンディングのヒールピースに形成されたレシーバに解放可能に係合するように構成され、その中に形成され、その上にビンディングによって加えられた力を受け、無数の解放角度のうちの少なくとも１つで、ビンディングのベースアセンブリからの、したがってブーツアセンブリの滑走ボードからの最適で選択的な予め設定された張力解放を容易にするように構成された複数の圧力面を備え、トープランジャおよびヒールプランジャがビンディングをベースアセンブリに、したがってブーツアセンブリを滑走ボードに固定するように構成されたヒールプランジャとを備える。
【００１３】
１つの例示の実施形態では、支持ディスクは、好ましくは３つ穴または４つ穴のパターンなどの様々な標準的な穴のパターンのうちの１つを使用して滑走ボードのデッキに連結し、穴のパターンは、支持ディスクに対して提供される。中央のディスクは、ベースアセンブリを滑走ボードに回転可能に固定するように機能する。
【００１４】
それぞれの滑走者の足は、ビンディングと共に動作可能なブーツシステムによって定位置に保持される。各ビンディングは、ボンネットの上にビンディングを嵌合させ、トープランジャおよびヒールプランジャをビンディングに係合させ、したがってそれを定位置に固定させることによって、ベースアセンブリに係合するように構成される。言い換えれば、ビンディングシステムは、単に足をブーツアセンブリ内に配置し、ビンディングをベースアセンブリの上に位置決めし、トープランジャおよびヒールプランジャをビンディングに係合させ、解放可能に連結することによって、下向きの力を加えて、ビンディングを下ろしてベースアセンブリの上に定位置にぴったりと嵌るようにして滑走者がビンディングシステムに「ステップイン」できるようにする。ベースアセンブリはさらに、滑走ボードの性能を向上させるためのライザ（ｒｉｓｅｒ）機能を提供するように機能する。
【００１５】
従来の関連するスノーボードビンディングシステムと異なり、本発明のビンディングシステムは衝撃の際に解放する。この機能は、所望の仕様を満たすために滑走者によって予め設定できる調整可能な張力解放システムによって可能になる。ビンディングシステムの張力は、各トーブランジャおよびヒールプランジャに対する個別のバネおよびシャフトシステムを使用して、トープランジャおよびヒールプランジャのうちの少なくとも一方、好ましくは両方に予め設定される。現在の解放張力設定は、ベースアセンブリのボンネットに形成されたウインドウを通して見ることができ、そのウインドウは、トープランジャおよびヒールプランジャがボンネットの外側に延出できるようにしながら、ベースアセンブリの内側で機能する機構を覆い、これらのものを雪および氷から保護するような形状にされ、設計される。
【００１６】
トープランジャおよびヒールプランジャが滑走者によって指定された張力設定を超える力または圧力を受けると、ビンディングシステムが解放し、したがってビンディングがベースアセンブリから解放できるようにし、より重要には滑走者の足が滑走ボードから解放できるようにする。これは、トープランジャおよび／またはヒールプランジャが、各トープランジャまたはヒールプランジャの後ろの一連の解放レバー、カム、スペーサ、ならびにバネおよびシャフトアセンブリを押し付けることによって達成される。言い換えれば、解放機構または解放手段は、各トープランジャおよびヒールプランジャと共に動作可能なシャフトおよびバネアセンブリによって作動するこれらのいくつかの構成要素からなる。
【００１７】
さらに、トープランジャおよびヒールプランジャは、無数の解放角度を容易にする特定の設計を備える。これは、少なくとも１つ、および好ましくは複数の圧力面をトープランジャおよびヒールプランジャに形成することによって達成される。圧力面は、好ましくは３５°と４０°の間の圧力角によって形成される。無数の解放角度をもたらすことは、ビンディングが水平線から上方向に任意の角度でベースアセンブリから解放できるようにする。
【００１８】
解放手段はさらに、急速解放設計を備えることができる。１つの例示の実施形態では、解放手段は、ボンネットの側面の周囲に配置され、または位置決めされた解放レバーを備えることができる。レバーは、ハンドルまたはノブを備えることができ、使用者がビンディングを係脱できるようにする目的で、トープランジャに対してバネアセンブリを作動させるために、使用者はハンドルを握り、レバーを作動させることができる。
【００１９】
調整手段は、急速解放設計を有することもでき、調整手段は、急速解放レバーと反対のボンネットの側に配置され、または位置決めされたレバーを備える。レバーは、支持ディスクの全てまたは一部分に解放可能に係合するように構成でき、それによって任意の螺子またはその他の同様のファスナを緩める必要なしに滑走者によって所望されるような複数の異なるスタンス向きを容易にする。
【００２０】
本発明はさらに、滑走者を滑走ボードに固定するための方法を特徴とする。
本発明はさらに、フットウェアのタイプの品目を第２の品目に固定する脱着可能に固定するためのユニバーサルビンディング装置を特徴とし、その装置は、（ａ）フットウェアタイプおよび第２の品目のいずれにも装着できる第１のプレートであって、（ｉ）第１のプレートのフロント部に配置されたトー保持ラッチであって、無数の解放角度で、最適で選択的な予め設定された張力解放を可能にするために、その中に形成された複数の圧力面を備えるトー保持ラッチと、（ｉｉ）第１のプレートのリア部に配置されたヒール保持ラッチであって、無数の解放角度で、最適で選択的な予め設定された張力解放を可能にするために、その中に形成された複数の圧力面を備えるヒール保持ラッチと、（ｉｉｉ）トー保持ラッチまたはヒール保持ラッチのうちの少なくとも１つを係脱させるために、トー保持ラッチとヒール保持ラッチの間に配置された第１のレリースとを備える第１のプレート、および（ｂ）第１のプレートに固定されない品目に装着できる第２のプレートであって、（ｉ）第２のプレートのフロント部に配置されたトークリップと、（ｉｉ）第２のプレートのリア部に配置されたヒールクリップであって、トークリップがトー保持ラッチ内に係合され、ヒールクリップがヒール保持ラッチ内に係合されて、第２のプレートが、第１のプレートに脱着可能に固定され、第１のレリースが、第２のプレートからトー保持ラッチまたはヒール保持ラッチのうちの少なくとも１つを移動可能に係脱するように動作するヒールクリップとを備える第２のプレートとを備える。
【発明を実施するための最良の形態】
【００２１】
本発明は、添付の図面と関連させて読めば、以下の説明および添付の特許請求の範囲から、より完全に明らかになるであろう。したがって、これらの図面は、単に本発明の例示の実施形態を示すに過ぎないことを理解すれば、それらは本発明の範囲を限定するものと見なされない。本明細書の図面に全体的に描かれ、示された本発明の構成要素は、広範囲の異なる構成で配置し、設計可能であることが容易に理解されるであろう。それにもかかわらず、本発明は添付の図面を使用することによってさらなる特異性および詳細を伴って述べ、説明することができるであろう。
【００２２】
本発明の例示の実施形態の以下の詳細な説明は、本明細書の一部を形成し、例として本発明が実施可能である例示の実施形態が示される、添付の図面に参照を行う。これらの例示の実施形態は、当分野の技術者が本発明を実施できるように十分に詳細に説明されているが、その他の実施形態を実現することが可能であり、本発明の精神および範囲から逸脱せずに本発明に様々な変更を行うことができることを理解されたい。したがって、図１から１４に表されるような本発明の実施形態の以下のより詳細な説明は、特許請求の範囲に示されるように本発明の範囲を限定するように意図されず、例示の目的のために表されるに過ぎず、本発明の特徴および性質を述べ、本発明の動作の最良の形態を述べ、当分野の技術者が十分に本発明を実施できるようにすることへの限定ではない。したがって、本発明の範囲は、添付の特許請求の範囲によってのみ定義される。
【００２３】
本発明の以下の詳細の説明および例示の実施形態は、本発明の要素および特徴が全体を通して番号によって示される添付図面を参照することにより最も良く理解されるであろう。
【００２４】
明確にするために、本明細書で言及される語句「滑走ボード」は、滑走スポーツで使用するために一般に知られるような任意のタイプのボードまたはボード様のデバイスを意味するように理解され、ボードまたはボード様のデバイスは、ボードを使用者の片足または両足に固定するためのビンディングアセンブリまたはビンディングシステムを利用する。滑走ボードの例には、それには限定されないが、スノーおよび水上スキー、スノーボード、ウェイクボード、および当分野で知られるようなその他のものが含まれる。
【００２５】
本明細書で言及される語句「滑走スポーツ」は、参加するために滑走ボードが必要であり、または推奨される、任意のタイプのスポーツまたはレクリエーション活動を意味するものと理解されたい。滑走スポーツの例には、それには限定されないが、水上およびスノースキー、スノーボード、ウェイクボード、および当分野で知られるようなその他のものが含まれる。
【００２６】
本明細書で言及される語句「圧力面」は、ビンディングをベースアセンブリの周囲に支持し、そこに固定する目的で、また張力の設定を超えた場合にビンディングのベースアセンブリからの張力解放を容易に誘発できるようにする目的で、ビンディングによって加えられるようなその上の力または負荷を受け、耐えるように特別に設計されたビンディングシステムの構成要素のうちの１つまたは複数の上に形成された１つまたは複数の表面を意味するものと理解されたい。
【００２７】
本明細書で参照される語句「圧力角」は、圧力面が構成される角度を意味するものと理解されたい。
本明細書で使用される語句「解放角度」は、ビンディングが張力解放のときにビンディングがベースアセンブリから解放する角度を意味するものと理解されたい。
【００２８】
本明細書で参照される語句「張力解放」は、予め設定されたまたは予め定められた、張力設定を超える圧力角による負荷に反応して、ベースアセンブリからのビンディングの誘発された解放を意味し、負荷は衝撃または過剰に加えられた張力から引き起こされるものと理解されたい。
【００２９】
本明細書で参照される語句「張力設定」または「予め設定された張力設定」は、ビンディングシステムの負荷ベアリング構成要素の圧力面に加えられる可能性のある最大に許容可能な力または負荷を定義するために使用者によって設定された、ビンディングシステムでの予め設定された調整を意味するものと理解されたい。これは、あるいは張力閾値として定義できる。
【００３０】
本発明は、複数の機能のビンディングシステムを介して使用者または滑走者を滑走ボードに固定する方法およびシステムを記載する。
本発明は、従前の関連するビンディングシステムに優るいくつかの重要な利点を提供し、そのいくつかは、ここにおよび以下のより詳細な説明全体にわたって記載される。第１に、ビンディングシステムは、衝撃またはその他の過剰な力に応答してビンディングをベースアセンブリから解放可能にする、使用者が調整可能な張力解放の能力を取り入れる。従前の関連するビンディングシステムがこの部分で不完全であったので、これは、ビンディングシステムがスノーボードに使用される場合にかなり有利である。さらに、張力解放の特徴は、異常な負荷を受けた場合、両足が解放可能になることによって滑走者に対する安全性を向上させる。第２に、ビンディングシステムは、急速解放を提供し、使用者は、ビンディングをベースアセンブリから解放させるために、解放システムを容易に手動で作動できる。第３に、このビンディングシステムは、スノーボーダー、スキーヤーなどの滑走者が、ほとんどの従前の関連するビンディングシステムで必要であるような螺子またはその他のファスナを緩める必要なく、各ビンディングのスタンス向き、したがって、滑走ボードに対するそれぞれの足を容易に調整できるようにする調整手段を提供する。調整手段は、解放システムに関する急速解放と同様な急速解放機構によって好ましく作動される。第４に、このビンディングシステムは、無数の解放角度で張力解放を遂行するための本明細書にヒールプランジャおよびトープランジャとして記載されるプランジャまたはラッチの形で特に設計された連結手段を利用する。各トープランジャおよびヒールプランジャは、側方および長手方向の両方の圧力面を備え、その表面は、側方および垂直方向の解放、ならびにこれらの様々な組合せを提供する。圧力面は、ビンディングのベースアセンブリからの解放を最適化するように構成された圧力角を提供するために、特定の角度で形成される。より具体的には、これらの圧力角は、ビンディングが突然ベースアセンブリから解放する前にビンディング上に最適のカウンターレジスタンス（ｃｏｕｎｔｅｒ  ｒｅｓｉｓｔａｎｃｅ）をもたらすように機能する。圧力角は、特に３５度と４０度の間になるように構成される。この度数の範囲は、最適な解放を可能にするように確立される。第５に、ビンディングシステムは、自分の足にビンディングを固定し、ビンディングをベースアセンブリの上に配置し、トーピースおよびヒールピースをビンディング内の対応するレシーバに係合させることによりビンディングをベースアセンブリに係合し連結させることによって、滑走者がビンディングシステムに「ステップイン」できるようにする。第６に、ベースアセンブリはライザ機能を提供し、滑走者がてこの力および高さを得ることができ、したがって、従来の関連するビンディングシステムに共通する２つの問題であるヒールおよび／またはトーのドラグを低減または排除する。第７に、ベースアセンブリは互換性があるように設計され、それが異なるタイプの滑走ボードに適用または使用でき、したがってビンディングが異なるタイプの滑走ボードに連結できるようにすることを意味する。ビンディングシステムは、３つ穴および４つ穴の構成などの標準的な穴取付け構成を利用する。互換���の特徴は、滑走者が単一のビンディングまたは少なくとも単一の型式のビンディングをそれぞれの異なる滑走ボードに使用できるようにする。これは、ボードの間の精通度および関連性を増加させることができるので、１つまたは複数の滑走ボードを使用することをまさに習得しつつある者に対して特に利点であることができる。
【００３１】
上記に記載された利点、ならびに本明細書に示す任意のその他の利点のそれぞれは、下記に記述する詳細な説明に照らして添付の図面を参照すれば明らかになる。これらの利点は、どのようにも限定する意図はない。実際に、当分野の技術者は、本発明を実施する際に、本明細書に具体的に記載されるもの以外のその他の利点が実現可能であることを理解するであろう。
【００３２】
図１を参照すると、本発明のビンディングシステムの例示の実施形態を利用する滑走ボードの斜視図が示される。具体的には、図１はスノーボードの形の滑走ボード２を示す。このスノーボードは、上面またはデッキ４を備え、その上にフロントベースアセンブリ６０−ａおよびリアベースアセンブリ６０−ｂとして示される、フロントベースアセンブリおよびリアベースアセンブリが装着される。ベースアセンブリ６０−ａおよび６０−ｂのそれぞれは、（図示されない）ビンディング、したがって使用者または滑走者のそれぞれの足を受けるように構成される（用語「滑走者」および「使用者」は全体を通して同義で使用される）。
【００３３】
図示されるように、各ベースアセンブリ６０−ａおよび６０−ｂは、それぞれ支持ディスク６４−ａおよび６４−ｂとして示される中央の支持ディスクを介してデッキ４に取外し可能に装着される。中央の支持ディスク６４は、各ベースアセンブリ６０−ａおよび６０−ｂを滑走ボード２のデッキ４に回転可能に固定または装着するように機能する。図示されるように、各ベースアセンブリ６０−ａおよび６０−ｂは、滑走ボード２の長手軸６を基準とした任意の所望のスタンス向きを有するように調整できる。ベースアセンブリの調整可能性は、以下により詳細に論じられる。それにもかかわらず、支持ディスク６４−ａおよび６４−ｂは、滑走ボード２のデッキ４に取外し可能に装着されるが、回転するようには構成されないことに留意されたい。そうではなく、これらは、支持ディスク６４の周囲を回転し、またはそうでなければその周囲で調整するように構成された各ベースアセンブリのその他の様々な構成要素と共に固定された位置に装着される。
【００３４】
図２を参照すると、１つの例示の実施形態による本発明のビンディングシステムの側面斜視図が示され、ビンディングアセンブリのビンディング構成要素がベースアセンブリの上に持上げられた位置で示される。図示されるように、ビンディングシステム１０は、上述のように滑走ボードのデッキに取外し可能に装着されるように構成されたベースアセンブリ６０を備える。装着された後に、ベースアセンブリ６０は、ブーツアセンブリ１８およびビンディング３０を備えるビンディングアセンブリ１４を受けるように構成される。ブーツアセンブリ１８は、使用者の足を受け、固定するように構成され、当分野で知られるような１つまたは複数の取付け構成によって動作可能なブーツ構成を有する。ブーツアセンブリ１８は、ビンディング３０に連結するように構成され、ビンディング３０は、ベースアセンブリ６０および滑走ボード（図１を参照されたい）の周りに使用者の足を支持するようにブーツアセンブリ１８と共に機能する。
【００３５】
図示される例示の実施形態では、ビンディング３０は使用者の足またはフットプレート（図３のフットプレート２８を参照されたい）を受け、支持するための上面（図示せず）および下面３６を有する主要な支持プレート３２を備え、その支持プレートは、ビンディング３０がそこに取外し可能に連結される場合に、それぞれがベースアセンブリ６０にある、ボンネット１２０の上面１２８、および支持ディスク６４の上方プレート６８に隣接して配置され、それらに置かれるように構成される。
【００３６】
ビンディング３０は、ブーツアセンブリ１８を受け、固定し、または支持するように構成されたブーツマウント５６も備える。図示される例示の実施形態では、ブーツマウント５６は、主要な支持プレート３２の両側に配置され、そこから上方に延出するフロント部５７およびリア部５８を備える。フロント部およびリア部はそれぞれ、当分野で知られる任意の適切なタイプのファスナをその中に受け、ブーツアセンブリ１８のビンディング３０への取付けを容易にするように構成された１つまたは複数の取付け穴５９を備える。ブーツマウント５６はさらに、使用者の足に固定されるブーツに収容されるような使用者の足の側方の支持を提供し、または補助するように機能する。ブーツマウント５６の特定の寸法および幾何学的構成が図２に示されるものに限定されることは意図されない。
【００３７】
ビンディング３０はさらに、主要な支持プレート３２のフロント部に配置され、その支持プレートから延出するトーサポートまたはトーピース４０を備える。トーピース４０は、ベースアセンブリ６０のボンネット１２０のフロント部またはフロント面１５６の幾何学的構成に適合する幾何学的構成を備える。より具体的には、トーピース４０は、内面４２および外面４３によって構成され、内面４２は、ボンネット１２０の外側フロント面１５６に係合するように設計され、構成され、ボンネット１２０のフロント面１５６は、トーピース４０およびビンディング３０に支持をもたらしている。トーピース４０はさらに、その内面４２に形成されたレシーバ４４を備える。レシーバ４４は、ベースアセンブリ６０のトープランジャ２８０を受けまたはそれに係合し、それを解放可能に固定するように寸法を決められ、構成され、したがって、ビンディング３０をベースアセンブリ６０に解放可能に連結する。トープランジャ２８０は予め設定された張力設定を有し、それはビンディング３０に対して作用するカウンターフォース（ｃｏｕｎｔｅｒ  ｆｏｒｃｅ）をもたらす。したがって、レシーバ４４は、トープランジャ２８０の一部分がその中に挿入されると同様な幾何学的構成を有する。
【００３８】
同様に、ビンディング３０はさらに、主要な支持プレート３２のリア部に配置され、その支持プレートから延出するヒールサポートまたはヒールピース４６を備える。ヒールピース４６は、ベースアセンブリ６０のボンネット１２０のリア部またはリア面１６４の幾何学的構成に適合する幾何学的構成を有する。より具体的には、ヒールピース４６は、内面４７および外面４８によって構成され、内面４７は、ボンネット１２０の外側リア面１６４に係合するように設計され、構成され、ボンネット１２０のリア面１６４は、ヒールピース４６およびビンディング３０に支持をもたらしている。ヒールピース４６はさらに、その内面４７に形成されたレシーバ５０を備える。レシーバ５０は、ベースアセンブリ６０のヒールプランジャ３１０を受け、またはそれに係合し、それを解放可能に固定するように寸法を決められ、構成され、したがって、ビンディング３０をベースアセンブリ６０に解放可能に連結する。ヒールプランジャ３１０はトープランジャ２８０と同様に、予め設定された張力設定を有し、それはビンディング３０に対して作用するカウンターフォースをもたらす。したがって、レシーバ５０は、その中に挿入されるヒールプランジャ３１０の一部分と同様な幾何学的構成を有する。それらの構成により、トーピースまたはトーサポート４０、およびヒールピースまたはヒールサポート４６はベースアセンブリ６０の周りでビンディング３０に対して側方および長手方向の支持の両方をもたらす連結手段として機能する。
【００３９】
用語「トープランジャ」および「ヒールプランジャ」は、本明細書で区別し説明的な目的で使用されるに過ぎないことを本明細書で留意されたい。これらの２つの構造は全ての点で同様である。ビンディングシステムのベースアセンブリは、指定されたフロントおよびリア部を備えないが、どちらかの端部がフロントまたはリアを有することができるように向けることができる。別の言い方をすれば、ビンディングのフロントは、ベースアセンブリがどちらの方向を向いてもベースアセンブリに装着できる。
【００４０】
ビンディング３０はさらに、下記に論じられ図３に示されるように、ビンディング３０の上面へのフットプレートの装着を容易にするように設計された、それぞれフロントスロット４５およびリアスロット４９を備える。さらに、ビンディング３０は、その両側に配置された側方のスロット５２および５４を備え、それらのスロットは、それぞれベースアセンブリ６０の調整機構２１０、および解放機構２４０、またはそれらの任意の構成部品の移動または作動を中断せずに、ビンディング３０がベースアセンブリ３０に連結できるようにする。側方スロット５２および５４は、それぞれトーピース４０およびヒールピース４６の端部、ならびに主要な支持プレート３２の下面３６の縁部によって画成される。
【００４１】
図２は、組み立てられた状態のベースアセンブリ６０も示す。ベースアセンブリ６０は、部分的には、必ずしも必要でないが、好ましくはベースアセンブリ６０内で中央に配置された支持ディスク６４を備える。支持ディスク６４は、外周部７２を有する上部プレート６８、および下方本体部を備える（図示されないが図４の下方本体部７６を参照されたい）。支持ディスク６４は、滑走ボードのデッキに取外し可能に固定されるように設計され、構成される（図２には示されないが、図１のデッキ４および滑走ボード２を参照されたい）。したがって、支持ディスク６４は、１つまたは複数の取付け穴構成を備える。図示される例示の実施形態では、支持ディスク６４は、３つ穴の装着構成９２、および４つ穴の装着構成９６の両方を備え、そのそれぞれは当分野で標準であり、そのそれぞれはビンディングシステム１０が共に使用される滑走ボードのタイプに応じて使用できる。
【００４２】
支持ディスク６４はさらに、ベースアセンブリ６０内に回転可能に支持されるように設計され、構成される。より正確には、ベースアセンブリ６０は、支持ディスクが滑走可能なボードのデッキに取外し可能に固定されているので支持ディスク６４の周囲を回転可能になるように設計されている。ベースアセンブリ６０の構成要素は、ベースアセンブリ６０、およびしたがってそこに連結されたビンディング、およびビンディング内に固定された滑走者が複数の異なるスタンス向きを達成することができるように、支持ディスク６４の周囲を回転する。
【００４３】
図２は、ベースアセンブリ６０の様々な内部の構成要素および機構を収容するように構成されたボンネット１２０をさらに備えるベースアセンブリ６０を示す。図示のように、ボンネット１２０は、上面１２８および下面（図示されない）を有する上方の頂部支持プレート１２４を備える。上面１２８は実質的に平らであり、その上にベースアセンブリ６０に連結されるビンディング３０の実質的に平らな下面３６を受け、支持するように設計され、構成される。本質的に、ボンネット１２０は、ビンディング３０に対してライザとして機能し、したがって、ビンディングシステムの高さおよびてこの力を増加させ、それによってトーおよびヒールのドラグを低減または排除するのを助ける。支持ディスク６４をその中に受け、同時に支持ディスク６４を回転可能に支持するように寸法を決められ、構成された孔（図２に示されないが図４の孔１３６を参照されたい）がボンネット１２０の頂部支持プレート１２４内に形成され、したがって、支持ディスク６４の周りでのベースアセンブリ６０の調整を容易にして、ビンディングシステム１０が異なるスタンス向きを得ることができるようにする。支持ディスク６４は、ボンネットを滑走ボードに固定するためにレッジ（図示されないが図４のレッジ１４８を参照されたい）に係合するリップ（同じく図示されないが図４のリップ８４を参照されたい）を備える。
【００４４】
上記に示すように、ボンネット１２０はさらに、それぞれビンディング３０の合致するトー４０およびヒールピース４６をその上に受け、支持するように設計されたフロントおよびリア面１５６および１６４を備える。フロント面１５６はその中に、トープランジャ２８０がボンネット１２０のフロント面１５６を越えてベースアセンブリ６０の内部から外側に延出し、その中で前後に双方向に移動することができるように構成されたスロット１６０を形成する。同様にして、リア面１６４はその中に、ヒールプランジャ３１０がボンネット１２０のリア面１６４を越えてベースアセンブリ６０の内部から外側に延出し、その中で前後に双方向に移動することができるように構成されたスロット１６８を形成する。
【００４５】
ボンネット１２０はさらに、第１の側面（図示されないが、図４および５の第１の側面１８８を参照されたい）および第２の側面１９２を備え、それぞれが頂部支持プレート１２４から下方向に延びる。図示のように、第２の側面１９２は調整機構２１０、および特に調整機構２１０のロッキングレバー２１４を意図されるように移動し、作動させることができるように、その中に形成された側方スロット２００を備える。第１の側面は、その中に形成され、解放機構２４０、および特に解放レバー２４４を意図されるように移動し作動させることができるように寸法を決められ構成された、同様の側方スロット（図４および５の第１の側面１８８および側方スロット１９６を参照されたい）も備える。
【００４６】
ボンネット１２０はさらに、解放機構２４０によってヒールプランジャ３１０に加えられた負荷に対応する予め設定された張力設定の指示器として機能する、ドグ（ｄｏｇ）４２８に視界をもたらすように構成された第１のウインドウ１７２をその中に備える。ウインドウ１７２は支持プレート１２４内に形成された孔を備える。ボンネット１２０はさらに、解放機構２４０によってトープランジャ２８０に加えられた負荷に対応する予め設定された張力設定の指示器として機能する、ドグ４４８に視界をもたらすように構成された第２のウインドウ１７６をその中に備える。
【００４７】
図２はさらに、ボンネット１２０の下に配置され、それを密閉するデッキプレート１００を示す。本明細書に論じられるように、デッキプレート１００は、滑走ボードのデッキに対して隣接し、そこに置かれるように設計され、構成される。
【００４８】
図３を参照すると、図２に示される例示のビンディングシステム１０の斜視図が示され、例示のビンディング３０および例示のベースアセンブリ６０は、連結された構成で示される。図３はさらに、ビンディング３０の主要な支持プレート３２の上方の装着面３４に動作的に支持され、連結されたフットプレート２８を示す。フットプレート２８は、ブーツを着用している（たとえばスノーボードの場合に）、またはブーツを着用していない（たとえばウェイクボードの場合に）使用者の足をより良く収容することができるようにビンディング３０の表面積を増加させるように機能する。フットプレート２８は、任意の寸法および形状を有することができ、使用者の足に一致する１つまたは複数の輪郭を適宜備えることができる。フットプレート２８はオプションであり、選択的に取り外すことができる。図３は、フットプレート２８を別個の構造を有するものとして示すが、フットプレート２８は、ビンディング３０と一体に形成できる。
【００４９】
図２および４〜８を参照すると、例示のビンディングシステム１０の例示のベースアセンブリ６０の様々な図が示される。理解できるように、ベースアセンブリ６０は、図示のように上方プレート６８、上方プレート６８の外周部７２、および上方プレート６８から延出する下方本体部７６を有する支持ディスク６４を備える。下方本体部７６は、ベースアセンブリ６０を複数の使用可能なスタンス向きのうちの任意の１つに選択的に配置するための調整機構内に、１つまたは複数の構成要素を受けるように構成された側壁８０を備える。図示されるように、側壁８０は、その中に形成され、複数の利用可能なスタンス向きを定義するように構成された複数の歯８８を備える。さらに、上方プレート６８および下方本体部７６は、それらの交差部分にリップ８４を形成する。リップ８４は、ボンネット１２０に形成された対応するレッジ１４８に係合するように構成され、それによってボンネット１２０および様々な構成要素を滑走ボードに固定する。したがって、ボンネット１２０およびベースアセンブリ６０全体は、支持ディスク６４の取外しの際にのみ滑走ボードから取り外すことができる。リップ８４および対応するレッジ１４８はさらに、互いの周りを回転するように構成され、したがって、ベースアセンブリ６０のスタンス向きが調整される場合に、ボンネット１２０の支持ディスク６４に対する回転を容易にする。支持ディスクはさらに、３つ穴装着パターン９２および４つ穴装着パターン９６として示される穴装着パターンを備える。
【００５０】
支持ディスク６４は、滑走ボードのデッキの上に置かれるようになるまで、それぞれボンネット１２０およびデッキプレート１００内に形成された孔１３６および１１２内に挿入され、次いでディスクは滑走ボードに連結される。デッキプレート１００は、上面１０４および下面１０８を備え、ベースアセンブリ６０内の多くの構成要素および機構に関する支持部材として機能し、同時にこれらを収納するように構成される。デッキプレート１００は、調整機構２１０および解放機構２４０などの様々なベースアセンブリ構成要素の装着を容易にするようにその中に形成された、いくつかの装着穴１１６を有する。
【００５１】
調整機構２１０は、ピボット点（ｐｉｖｏｔ  ｐｏｉｎｔ）２２６の周りに回転可能にまたは旋回可能に連結された、付勢されたロッキングレバー２１４を備える。ロッキングレバー２１４はさらに、調整機構２１０を作動させる際に使用者との人間工学的なインターフェースをもたらすように設計されたハンドルまたはノブ２１８を備える。図示された実施形態では、調整機構２１０は、支持ディスク６４に形成された対応する歯８８に係合するように構成された、ロッキングレバー２１４に形成された連続した、またはラックの歯２２２を備える。バネ２３０は、ロッキングレバー２１４およびラックの歯８８を支持ディスク６４に対して係合された位置に向って付勢するように機能する。ボンネット１２０は、孔１３６を画成する側壁１４４を備える。側壁１４４内に、ラックの歯２２２を支持するロッキングレバー２１４の一部分が、そこを通って支持ディスク６４に係合するように通過できる開口をもたらすように構成されたスロット１５２がある。
【００５２】
調整機構２１０が係合した位置にある場合、ボンネット１２０およびその中に収容された構成要素は、支持ディスク６４の周りを回転することを妨げられている。ベースアセンブリ６０のスタンス向きを滑走ボードに対して調整するために、バネ２３０によって加えられたカウンターフォースに打ち勝つように、使用者は単にハンドル２１８を握り、ロッキングレバー２１４を移動させることによって調整機構２１０を作動させる。移動の際に、ロッキングレバー２１４のラックの歯８８は、支持ディスク６４の歯２２２から係脱し、それによってボンネット１２０が支持ディスク６０の周りを回転できるようにする。したがってベースアセンブリ６０は、異なるスタンス向きを生じる任意の数の調整位置に配置できる。実際に、図示されるような実施形態にあるような支持ディスク６４の側壁８０全体にわたる歯２２２を提供することによって、３６０°回転内の任意のスタンス向きを得ることができる。調整機構２１０はさらに、急速解放システムとして構成され、使用者は、ビンディングを解放する必要なしにいつでも迅速に容易にスタンス向きを変更できる。
【００５３】
その他のタイプの調整機構が本明細書中に企図されるが、これらは特に説明されない。たとえば、支持ディスクの下方部は、滑らかな側壁を備えることができる。調整機構は、無数の調整位置およびそれによって生じるスタンス向きで側壁を締め付けるある種のタイプのクランプを備えることができる。別の実施形態では、側壁はその中に形成された複数の孔を備えることができ、その孔は特定の調整位置およびそれによって生じるスタンス向きを得るために調整機構のロッキングレバーに形成された対応するペグまたはインサートを受けるように構成される。
【００５４】
解放機構２４０は、その中に形成されたカム部２４６を有する解放レバー２４４を備え、解放レバー２４４は、ピボット点の周りに回転可能に、または枢動可能に連結される。解放レバー２４４はさらに、解放機構２４０を手動で作動させる際に使用者との人間工学的なインターフェースをもたらすように設計されたハンドルまたはノブ２４８を備える。図示される実施形態では、解放機構２４０は、トープランジャ２８０と共に動作可能な第１のプランジャレバー４１２、およびヒールプランジャ３１０と共に動作可能な第２のプランジャレバー４１６を備える。第１のプランジャレバー４１２および第２のプランジャレバー４１６のそれぞれは、複合動作をもたらすように構成された複動レバーである。
【００５５】
第１のプランジャレバー４１２および第２のプランジャレバー４１６はそれぞれ、１つの縁に沿って、解放機構の動作中にトープランジャおよびヒールプランジャのそれぞれの直線状のレッジに係合し、そのレッジと相互作用する湾曲した表面を有する。第１のプランジャレバー４１２および第２のプランジャレバー４１６の両側の縁に沿って、それぞれトーサポート４０およびヒールサポート４６の内面４２および４７の形状と同じ形状を備える表面があり（図１を参照されたい）、したがって、解放機構がトープランジャおよびヒールプランジャを完全に延出した位置に配置するように構成された場合に、第１および第２のプランジャレバー４１２および４１６がその中にぴったりと収納できるようにする（この構成は、図７に示される）。第２のプランジャレバー４１６は、一方の端部でボンネット１２０に旋回可能に連結されている。
【００５６】
解放機構はさらに、解放レバー２４４と同じピボット点の周りを回転可能な解放カム２５２を備える。解放カム２５２は、第１のプランジャレバー４１２に形成されたカムトラック４１４内に収容されるカム部を備える。解放レバー２４４の移動、およびそれに続く解放機構の作動時に、解放カム２５２が回転され、そのカム部分はカムトラック４１４に沿って追随する。この動作は、トープランジャ２８０の後退を遂行するように第１のプランジャレバー４１２を移動させるように機能し、それによってビンディングがベースアセンブリから解放できるようにする。トープランジャ２８０およびヒールプランジャ３１０は、そこから突出するそれぞれのナブを介して、それぞれ第１のプランジャレバー４１２および第２のプランジャレバー４１６に連結される。ナブは、第１のプランジャレバー４１２および第２のプランジャレバー４１６に形成された対応する非同心の孔内に配置され、したがってプランジャレバーとプランジャの間に限定された角度のスリップをもたらす。
【００５７】
調整機構はさらに、張力解放をもたらし、ビンディングは使用者によって定められる予め設定された張力設定を超えるとき、ベースアセンブリから解放する。図示されるように、シャフト４２０は、ボンネット１２０の底面に形成されるスロット１３４内に収容される。シャフト４２０は、シャフトジャーナル４２４、ドグ４２８、バネ４３２、および底４３６を支持し、それぞれは、共に動作してヒールサポート４６の内面に対してプランジャレバー４１６を押すように構成される。シャフトはねじ山を付けられ、バネはショルダに対して支持される。予め設定された張力設定を超えるように作用するいかなる力も、ビンディングをベースアセンブリから解放するように、調整機構を誘発するように働く。より具体的には、予め設定された張力設定を超えるように作用するいかなる力も、ボタン４３６を移動させ、バネ４３２を圧縮するようにし、それによってヒールプランジャ３１０を後退させ、ビンディングをベースアセンブリから解放する。同じ張力解放の特徴がトープランジャ２８０に対してもたらされ、シャフト４４０、シャフトジャーナル４４４、ドグ４４８、およびボタン４５６が第１のプランジャレバーと共に機能して、ベースアセンブリからのビンディングの張力解放をもたらす。
【００５８】
図示されるように、調整機構２４０は、使用者が予め設定された張力設定を調整することができるようにする。図示される例示の実施形態では、調整機構２４０は、シャフトの回転および張力設定の変更を容易にするように構成された歯車システムを備える。歯車システムが回転されると、シャフトが回転してドグ４２８を上方および下方に動かし、それによってバネの圧縮を変更し、したがって張力設定を変更する。ドグ４２８は、予め設定された張力設定を示すためのボンネット１２０に形成されるウインドウを通して可視である。
【００５９】
ベースアセンブリ６０はさらに、ベースアセンブリ６０によって支持される様々な機構の適切な動作を容易にするためのリアスペーサ４００、フロントスペーサ４０４、およびギャップスペーサ４０８などの様々なスペーサを備える。
【００６０】
図９−Ａ〜９−Ｃを参照すると、本発明の１つの例示の実施形態によるヒールプランジャの様々な図が示され、ヒールプランジャは、それぞれが対応する圧力角を有する複数の圧力面を備え、図２の例示のベースアセンブリ内で使用する目的で構成される。具体的には、図示のように、ヒールプランジャ３１０は、上面３１４、下面３１８、およびレッジ３２６を形成するための上面３１４から延出するライザ３２２を備える。ライザ３２２それ自身は、上面３３０およびフロント面３３４を備える。ライザ３２２はさらに、第１の長手方向の圧力面３３８、第２の長手方向の圧力面３４０、第１の側方圧力面３４４、および第２の側方圧力面３４８として示されるいくつかの圧力面を備え、それぞれがそれ自身の対応する圧力角を有する。
【００６１】
図９−Ｂは、第１の長手方向の圧力面３３８および第２の長手方向の圧力面３４０を示す。第１の長手方向の圧力面３３８は、圧力角β１を有する。第２の長手方向の圧力面３４０は、圧力角β２を有する。同様にして、図９−Ｃは、第１の側方の圧力面３４４および第２の側方の圧力面３４８を示す。第１の側方の圧力面３４４は、圧力角β１を有する。第２の側方の圧力面３４８は、圧力角β２を有する。
【００６２】
圧力面は特に、ベースアセンブリからのビンディングの最適の張力解放をもたらすように定められた角度である３５度と４０度の間の圧力角を有するように構成される。より具体的には、これらの角度は、ビンディングが突然ベースアセンブリから解放する前にビンディング上に最適のカウンターレジスタンスをもたらすように機能する。さらに、従来の関連するビンディングシステムに見られるものとは異なり、トグル機構が全くないので、圧力面は、ビンディングが無数の解放角度で解放できるように構成される。
【００６３】
３５°より少ない角度（たとえば３０°）など鋭い圧力角は、カムアウトするので不適切である。したがって、より鋭い角度は、ビンディングを適切に解放させることにならない。４０°（たとえば４５°）などのより緩やかな角度は、ビンディングをあまりにも緩んだ状態のままにし、ビンディングおよび滑走者をベースアセンブリおよび滑走ボードの周りに適切に支持しない。３５度と４０度の間の角度を提供することによって、適切な圧力が達成でき、ビンディングの解放の前に過剰にならない。実際に、ビンディングは、滑走ボード上のビンディングとブーツ、したがって滑走者を解放せずに保持するためのある程度の圧力および力を支持できる必要がある。しかし、あまりにも多い圧力および力を支持することによって、ビンディングは解放せず、したがって滑走者を負傷させる可能性がある。したがって、使用するための容認できる圧力とビンディングが解放する圧力との間にバランスをとる必要がある。
【００６４】
示されるヒールトー３１０では、３つの圧力面およびそれによって生じる圧力角は、従来の関連するビンディングでの３つのトグルと同じ様式で機能する。しかし、３つの圧力角を得るための３つの個別の機構を必要とするのでなく、各圧力角は、単一の機構、ヒールプランジャ３１０に含まれる。したがって、本発明は垂直方向、ならびに２つの側方にビンディングから解放するのを容易にする垂直および側方の圧力角によって構成された単一の機構を特徴とする。
【００６５】
理解できるように、プランジャの長手方向の圧力面上の表面積、または垂直のヒールの張力解放に対して構成された表面積は、横方向の圧力面上の表面積、または側方のヒールの張力解放をもたらすように構成された表面積よりはるかに大きい。これは足が、側方のせん断力からの側方の力に耐えることができるよりも、多くの量の垂直のヒール／トー方向の力または圧力に耐えることができるからである。したがって、ビンディングを解放しないように保つために、垂直の解放に必要な力を増加することができる。これらの力に対応するために、長手方向の圧力面は、より大きな表面積を有する。プランジャの側方の面、および側方の解放角度に関しては逆のことが言える。足はせん断力に同様に対処することができないので、これらは多くの力として対応する必要がない。したがって、ビンディングの側方面は、より小さな表面積を有するより小さな解放角度を有して構成される。
【００６６】
当然のことながら、ライザなしのものなどその他の構成のヒールプランジャが本明細書で企図される。実際に、圧力面および対応する圧力角は任意の数の異なるプランジャ構成に組み込むことができる。下記に論じるヒールおよびトーのラッチは、長手方向および側方の両方の圧力面および対応する圧力角を有することもできることが本明細書に特に留意される。
【００６７】
本発明はさらに、図１０〜１４に示されるユニバーサルスキービンディング装置を特徴とする。フラットまたはアルペンスキー６１２と共に使用するためのユニバーサルビンディング装置６１０が示され、それは、第２の固定またはトッププレート６１８を介してブーツまたはフットウェア６１６をスキー６１２に固定する解放可能なベースビンディングまたはプレート６１４を装着している。
【００６８】
ユニバーサルスキービンディング６１０は、スノーボードおよびスキービンディングの両方を解放可能にする。それは、それぞれスノーボードとスノーボードビンディング、またはスキーとスキービンディングの間に嵌合するインターフェースとして働いて、それらが衝撃時に予め設定された圧力で滑走者をボードから解放できるようにする。さらに、滑走者は、従来技術にこれまで欠けていた急速解放レバーを介して急速解放を行うことができる。これは、スノーボードおよびスキーの両方での負傷を低減し、安全レベルおよび性能の向上を可能にする。さらに、それはカービングレベレッジ（ｃａｒｖｉｎｇ  ｌｅｖｅｒａｇｅ）を付加し、従来のビンディングシステムに一般に関連する雪の中でのトーおよびヒルのドラグ、ならびに滑走者への疲労を低下させるための垂直の持上げをもたらす。解放機構は、装着プレートの解放面と固定トッププレートとの新規な設計の相互作用を介して全ての要求される角度で解放することもできる。重要なことに、ユニバーサルのスノーボードおよびスキービンディングは、複数の解放角度をもたらし、それによって、現行のスキーおよびスノーボードのビンディングの限定された解放角度よりも大きな安全性を提供する。
【００６９】
ベースプレート６１４はさらに、トーキックラッチ６２０およびヒールキックラッチ６２２を備え、ベースプレート６１４内にトッププレート６１８を固定するためにその両方がスキー６１２の向きに対して前方または後方に摺動する。第１の解放レバー６２４はトーキックラッチ６２０を係脱する働きをし、第２の解放レバー６２６は、ヒールキックラッチ２２を係脱する働きをする。トッププレート６１８は、それぞれ第１またはトーサポート６２８、および第２またはヒールサポート６３０を介してベースプレート６１４に係合する。トーキックラッチ６２０およびヒールキックラッチ６２２は両方ともバネを装着され、そうすることで、スキーヤーが転倒する場合など、トッププレート６１８に十分な力が加えられた場合に、トーキックラッチ６２０またはヒールキックラッチ６２２は、そのそれぞれのトーサポート６２８またはヒールサポート６３０を解放するために不足のない十分な距離を移動するようにする。これは、トッププレートを解放し、スキーヤーが身体障害または物的損害を受ける可能性をなくす。上記に示されたように、各トーラッチおよびヒールラッチは、上記に論じたものと同様の圧力面および対応する圧力角を有し、その議論は、本明細書に組み込まれる。圧力面は特に、３５度と４０度の間の圧力角を有するように構成され、したがってトッププレートの圧力解放を最適化する。
【００７０】
さらに、ビンディングシステム６１０によってもたらされたプラットフォームを用いて、スノーボーダーおよびスキーヤーは、通常、トーおよびヒールのドラグを低減させるために使用されるライザまたは「ガスペダル（ｇａｓ  ｐｅｄａｌｓ）」が必要になることを解消できる。たとえば、スキーを行う際に、従来のビンディングは、スキーブーツをスキーの面に直接スキーブーツを置き、それはスキーヤーが回転のために鋭くカットする（ｃｕｔ）ときドラグを生じるおそれがある。ライザは、スキーブーツをスキーの上面の上に持上げるために使用され、それによってドラグを低減または解消した。これらのライザは、ビンディング装置６１０がその代わりに利用されるともはや必要でなくなる。
【００７１】
トーラッチ６２０およびヒールラッチ６２２の上の力を制御するバネに対する張力は、それぞれ調整螺子６３２および６３４を介して調整可能である。各螺子６３２および６３４は、使用者によって所望される適切な張力が迅速に得られるように、アレンレンチ（Ａｌｌｅｎ  ｗｒｅｎｃｈ）、または平頭もしくはフィリップスなどのねじ回しによって回すことができる。バネまたはラッチ機構を保護するために、カバープレート６３６がベースプレート６１４の頂部に強固に固定され、カバー支持タブ６３７によって支持される。カバー支持タブ６３７は、ベースプレート６１４内に一体化される。
【００７２】
図１１および１２は、第１の解放位置（図１１）、次いで固定位置（図１２）を示す。キックラッチ６２０および６２２は、トッププレート６１８を固定するために同じ係合の線に沿って反対の方向に移動することに留意されたい。キックラッチ６２０および６２２は、上記に述べたように、それぞれ解放レバー６２４および６２６によって固定位置内に保持される。第１の解放レバー６２４は上方に持上げられると、トーキックラッチ６２０がトッププレート６１８を解放し、係脱させる。第２の解放レバー６２６は、ヒールキックラッチ６２２を解放するために同じ様式で動作する。解放レバー６２４および６２６は、深い粉雪の中に、または任意のその他の状況にいる間、滑走者が自身を便利に解放することができるようにする。滑走者をボードから解放するために、滑走者が離れた位置からコードを引くことができるように、ランヤードまたはコードを解放レバー６２４または６２６に装着できる。
【００７３】
キックプレートのうちの１つが転倒で、または解放レバー６２４または６２６のうちの１つによって解放されると、滑走者は次いで、保持位置で底部プレート６１４の主要な本体に向ってキックラッチ６２０または６２２を単に蹴ることによって、それらを再係合させることができる。この特徴は、滑走者がかかんだり、または雪の中に座る必要なくビンディングを再係合できるようにし、それによって、滑走者が難なくビンディング装置に足を踏み入れて戻すことができるようにする。キックラッチ６２０および６２２は、図４および５に示すように、解放レバー６２４および６２６が、それぞれ解放ノッチ６２５および６２７を介して定位置に保持されるように摺動して戻る。図４は解放位置でのトーキックラッチ６２０の位置を示し、図５はトッププレート６１８に係合するキックラッチ６２０および６２２を示す。
【００７４】
各キックラッチ６２０および６２２はさらに、リセス６２１を含み、それはキックラッチ６２０および６２２がそのラッチ位置に移動された場合にトーサポート６２８またはヒールサポート６３０を定位置に保持または保つのに利用される。
【００７５】
トーキックラッチ６２０は、実際は図２および３に示されるキックプレート６３８の一部分である。キックプレート６３８は一対の止め螺子６４４を介してベースプレート６１４内の定位置に保持され、それによってキックプレート６３８が第１と第２の位置の間を摺動できるようにする。同様にして、ヒールキックラッチ６２２は、キックプレート６３９の一部分であり、そのプレートは自由に摺動できるが止め螺子６４６を介して定位置に保持される。止め螺子６４６は、止め螺子６４４と同一のものである。各キックプレート６３８および６３９は、構成において同一であるように設計され、それは、生産、組み立て、および交換または修理の作業を単純化する。
【００７６】
ベースプレート６１４はさらに、いくつかの組のバネを備え、それはラッチ６２０および６２２を定位置に保持するための張力および力をもたらし、それらが所望の状態の下で解放できるようにするために使用される。第１の組のバネには、バネ６４０および６４２が含まれる。バネ６４０および６４２は、それぞれキックプレート６２０および６２２を互いに反対に付勢するように働く。大きな組のバネ６４０および６４２は、解放張力も同様に制御する。次の組のバネ６４５および６４７は、それぞれバネ保持器６４９および６５１内に配置される。バネ６４５および６４７は、解放レバー６２４および６２６への側方の圧力を制御するように働く。最後の組のバネ６５０は、カバー６３６の下側表面内にエッチングされた浅いキャビティ内に載る。バネ６５０は、ベースプレートカバー６３６を支持し、ラッチ６２０および６２２がその保持向きに動いた後に、解放レバー６２４および６２６をそれぞれノッチ６２５および６２７の下の定位置に押しやる。
【００７７】
各主要なバネ６４０および６４２は、ビンディング解放張力シャフト６４３により定位置に保持され、それによってバネが所与の張力に対して圧縮でき、同時に解放レバー６２４および６２６をそれぞれキックラッチ６２０および６２２と組み合わせて固定できるようにする。カム６４８もビンディング解放張力シャフト６４３に移動可能に固定され、キックプレート６３８またはキックプレート６３９が解放レバー６２４または６２６に係合された場合に、それらの解放張力を調整するように解放プレートと共に動作する。張力調整螺子６３２または６３４が回転されると、螺子がどのように回転されるかに応じてバネ力が増加または減少するように、カム６４８が解放レバー６２４および６２６の一部分に形成されたノッチ内に保持される。ビンディング解放張力シャフト６４３は、右利き用または左利き用のねじ山を有することができる。保持タブ６５３は、キックラッチ６２０および６２２のそれぞれの下に形成され、それはトッププレート６１８に係合しながらプレート６１４に係合する。図１１に示されるように、保持タブ６５３はノッチ６７２に係合する。
【００７８】
カバープレート６３６は、ヒールとトーの間の浮動的な、または「相対的な」張力が解放することによって一般的に生じる解放の一貫性に伴う問題を解消するように、そのプレートが上部プレート面に対して位置することができるようにする有用な形状を有する。カバープレート６３６は、トッププレート６１８に対して移動することを妨げられ、そうでない場合、トッププレートはカバーの上に浮く。したがってカバープレート６３６は、カバー保持および解放面として働く。ユニバーサルビンディングシステム６１０は、非常に狭いスキーの場合によく機能するように設計され、解放プレートは、従来のスキーによって利用されるように変更される。次いで滑走者は、使用する可能性のある任意のその他のボードに同じユニバーサルビンディングシステムを使用でき、それによって滑走者はスキーまたはスノーボードと同じブーツを使用できるようになる。システムは、図６１０に示される固い外骨格として、大抵のソフトビンディングおよびブーツと共に機能することもでき、底部プレート６１４と結合するためのトッププレート６１８を備えるようになされることができる。
【００７９】
前述の詳細な説明は、本発明を特定の例示の実施形態を参照して説明する。しかし、添付の特許請求の範囲に述べられるような本発明の範囲から逸脱せずに様々な修正および変更を行うことができることを理解されたい。詳細な説明および添付の図面は、限定するものではなく例示に過ぎないと見なされ、全てのそのような修正および変更は、いかなるものでも本明細書に説明され述べられるような本発明の範囲内に収まるように意図される。
【００８０】
より具体的には、本発明の例示の実施形態を本明細書に説明してきたが、本発明はこれらの実施形態に限定されず、前述の詳細な説明に基づいた当分野の技術者によって理解されるような（たとえば様々な実施形態全体にわたる態様の）修正、省略、組合せ、改造および／または交替を有する任意の全ての実施形態を含む。特許請求の範囲の限定は、特許請求の範囲に使用される言語に基づいて広義に解釈され、前述の詳細な説明に説明された例、または適用の実行中の例に限定されないものとし、その例は、排他的でないものとして解釈される。たとえば、本開示では、用語「好ましくは」は排他的でなく、この場合「好ましくは、ただしそれに限定されないが」を意味することを意図する。任意の方法またはプロセスの請求項に記載された任意のステップは、任意の順番に実行でき、その請求項に提示された順番に限定されない。手段に加えた機能、またはステップに加えた機能の限定は、特定の請求項の限定に対して、以下の全てのａ）「関連する手段」または「関連するステップ」が、明確に記載される、ｂ）対応する機能が明確に記載される、およびｃ）構造、材料、またはその機構を支持する作用が明確に記載される、という条件がその限定に存在する場合にのみ用いられる。したがって、本発明の範囲は、上記に与えられた説明および例によってではなく、添付の特許請求の範囲およびその法的な等価物によってのみ決定されるべきである。
【図面の簡単な説明】
【００８１】
【図１】ベースアセンブリがスノーボードに対して異なるスタンス向きを有するように調整された本発明の１つの例示の実施形態による、スノーボードに装着されまたは取り付けられた２つのベースアセンブリを有するスノーボードの斜視図である。
【図２】張力解放ビンディングシステムが、ベースアセンブリに解放可能に連結するビンディングアセンブリを備える、本発明の１つの例示の実施形態による張力解放ビンディングシステムの斜視側面図である。
【図３】ベースアセンブリに連結されたビンディング、ならびにビンディングの頂面または装着面に動作可能に支持され、連結されたフットプレートの斜視図である。
【図４】図２の例示の張力解放ビンディングシステムの例示のベースアセンブリの様々な構成要素部品の分解斜視図である。
【図５】図２の例示の張力解放ビンディングシステムの例示のベースアセンブリの上面図である。
【図６】滑走ボードに対するスタンス向きを変えるためにビンディングシステム内の複数の調整位置を提供するために支持ディスクに形成された対応する歯に係合するように構成された、ロッキングレバーに形成された歯を見せるために、支持ディスクが部分的に切除された、図２の例示の張力解放ビンディングシステムの例示のベースアセンブリの斜視図である。
【図７】ベースアセンブリからのビンディングの手動および張力解放の両方を容易にするように構成された様々な解放構成要素が示される、図２の例示の張力解放ビンディングシステムの例示のベースアセンブリの底面図である。
【図８】デッキプレートがベースアセンブリの様々な構成要素を封入し支持するように装着された、図２の例示の張力解放ビンディングシステムの例示のベースアセンブリの底面図である。
【図９】図９−Ａは、ヒールプランジャが、それぞれ対応する圧力角を有する複数の圧力面を備え、図２の例示のベースアセンブリと共に使用する目的で構成された、本発明の１つの例示の実施形態によるヒールプランジャの斜視図である。図９−Ｂは、長手方向の圧力面およびその対応する圧力角が示される、図９−Ａのヒールプランジャの側面図である。図９−Ｃは、両側の圧力面およびそれらの対応する圧力角が示される、図９−Ａのヒールプランジャの上面図である。
【図１０】本発明の１つの例示の実施形態によるユニバーサルビンディング装置の部分分解斜視図である。
【図１１】トープレートおよびヒールプレートが開放または解放位置に配置された、図１０のユニバーサルビンディングシステムに利用される内側の機構の斜視図である。
【図１２】トープレートおよびヒールプレートが固定位置に配置された、図１１のユニバーサルビンディングシステムの斜視図である。
【図１３】第１のレリースが完全に解放した位置に配置された、図１１によるユニバーサルビンディング装置の側面図である。
【図１４】第１のレリースがラッチ位置に配置された、図１３によるユニバーサルビンディング装置の側面図である。
【図１】
2008502435.tif 000003
【図２】
2008502435.tif 000004
【図３】
2008502435.tif 000005
【図４】
2008502435.tif 000006
【図５】
2008502435.tif 000007
【図６】
2008502435.tif 000008
【図７】
2008502435.tif 000009
【図８】
2008502435.tif 000010
【図９Ａ】
2008502435.tif 000011
【図９Ｂ】
2008502435.tif 000012
【図９Ｃ】
2008502435.tif 000013
【図１０】
2008502435.tif 000014
【図１１】
2008502435.tif 000015
【図１２】
2008502435.tif 000016
【図１３】
2008502435.tif 000017
【図１４】
2008502435.tif 000018
【国際調査報告】
2008502435.tif 000019